【手続補正書】
【提出日】平成16年12月2日(2004.12.2)
【手続補正１】
【補正対象書類名】明細書
【補正対象項目名】全文
【補正方法】変更
【補正の内容】
【書類名】  明細書
【発明の名称】  給湯機
【特許請求の範囲】
【請求項１】  圧縮機、凝縮器、減圧器、蒸発器が冷媒流路で接続構成されるヒートポンプと、前記凝縮器の熱で中間温度まで加熱昇温される蓄熱タンクと、燃焼バーナーの熱により加熱される熱交換器とを備え、前記圧縮機は回転数可変とした給湯機。
【請求項２】  蓄熱タンクの残湯量を検知する残湯量検知手段と、この残湯量検知手段により残湯量が多い場合は、低回転数で少ない場合は高回転数で圧縮機を運転する圧縮機回転数制御手段とを備えた請求項１記載の給湯機。
【請求項３】  残湯量検知手段は蓄熱タンクの高さ方向に温度検知センサーを複数個設ける構成とした請求項２記載の給湯機。
【請求項４】  蒸発器の熱源エンタルピーを検知する熱源エンタルピー検知手段と、この熱源エンタルビー検知手段により熱源エンタルピーが高い場合は低回転数で低い場合は高回転数で圧縮機を運転する圧縮機回転数制御手段とを備えた請求項１記載の給湯機。
【請求項５】  蓄熱タンクの残湯量を検知する残湯量検知手段と、蒸発器の熱源エンタルピーを検知する熱源エンタルピー検知手段と、残湯量と熱源エンタルピーの値によって圧縮機の回転数を設定する圧縮機回転数制御手段とを備えた請求項１記載の給湯機。
【請求項６】  時計を有し、この時計によって時間帯別に圧縮機の回転数を設定する圧縮機回転数制御手段を備えた請求項１記載の給湯機。
【請求項７】  数日間の蓄熱タンク残湯パターンを記憶する記憶部と、この記憶部の残湯パターンをもとに圧縮機運転回転数を予測演算する演算部と、圧縮機の回転数を設定する圧縮機回転数制御手段とを備えた請求項１記載の給湯機。
【請求項８】  蓄熱タンクの下部から循環ポンプを介して凝縮器に導かれ前記蓄熱タンク上部へ戻される水循環流路と、凝縮器出口湯温を検知する出口湯温検知手段と、この出口湯温検知手段の検知湯温が予め設定された所定温度になるように循環水量を調節する制御手段とを備えた請求項１記載の給湯機。
【請求項９】  循環水量の調節は循環ポンプの回転数調節で行う請求項８記載の給湯機。
【発明の詳細な説明】
【０００１】
【発明の属する技術分野】
本発明はヒートポンプと燃焼とを利用した給湯機に関するものである。
【０００２】
【従来の技術】
従来、この種の給湯機は特開昭５９−１９５０４８号公報に示す如きものがある。以下、従来の技術について図面に基づき説明する。図１０は従来の給湯機の構成図である。図１０において、蓄熱タンク１下部の水は循環ポンプ２を介してヒートポンプ３の凝縮器４と熱交換する熱交換器４aから燃焼給湯機５の熱交換器６を経て蓄熱タンク１上部に戻される。そして、蓄熱タンク１内の水はヒートポンプ３で中間温度まで昇温されたのち、燃焼給湯機５で８０℃の高温まで昇温貯湯される。なお、図８中の７は圧縮機、８は減圧器、９は蒸発器を示し、ヒートポンプ３を構成している。また、１０は燃焼バーナー、１aは蓄熱タンク１内の湯温の湯温検知手段である。
【０００３】
【発明が解決しようとする課題】
上記する従来の給湯機では、蓄熱タンク１内の湯温を常時８０℃の高温に保持しているため、放熱損失が大きい。また、出湯に必要な湯量を蓄熱タンク１に確保しておく必要性から蓄熱タンク１容積が大きくなり、設置スペース上の課題がある。
【０００４】
本発明は上記課題を解決するものであり、放熱損失の低減と蓄熱タンクの小型化をはかることを主目的とするものである。
【０００５】
【課題を解決するための手段】
前記課題を解決するため、本発明は、圧縮機、凝縮器、減圧器、蒸発器が冷媒流路で接続構成されるヒートポンプと、前記凝縮器の熱で加熱昇温される蓄熱タンクと、燃焼バーナーの熱により加熱される熱交換器とを有し、前記圧縮機は回転数可変とした給湯機としたものである。
【０００６】
以上の構成により、蓄熱タンク内の水はヒートポンプの運転で予め設定された所定温度に蓄熱して貯湯される。所定温度は通常ヒートポンプの効率が十分確保され、また、通常出湯温度以上である５０〜５５℃の中間温度であるため、蓄熱タンクの放熱損失が低減され、断熱構成も簡略化できる。また、燃焼バーナーの熱により加熱される熱交換器を備えたことで、蓄熱タンクの湯温が低下した場合、または、高温度の出湯が必要な場合には燃焼による昇温給湯をおこなうので、ヒートポンプユニットの能力と蓄熱タンクを必要最小限の大きさに設定でき、蓄熱タンクの小型化が図れる。さらに、圧縮機を回転数可変としたことで、ヒートポンプの加熱能力が可変でき、蓄熱タンクの残湯量に対応した加熱能力対応が可能となり、また手洗い、食器洗い等の少量使用後の残湯量が多くヒートポンプによる追い焚き加熱量が少なくてよい場合は圧縮機を低回転数とることで高効率の運転ができる。
【０００７】
【発明の実施の形態】
前記課題を解決する給湯機は各請求項に記載した実施形態により実現できる。本発明の請求項１に記載の発明は、圧縮機、凝縮器、減圧器、蒸発器が冷媒流路で接続構成されるヒートポンプと、前記凝縮器の熱で中間温度まで加熱昇温される蓄熱タンクと、燃焼バーナーの熱により加熱される熱交換器とを有し、前記圧縮機は回転数可変とし、蓄熱タンク内の水はヒートポンプの運転で予め設定された所定温度に蓄熱して貯湯される。所定温度は通常ヒートポンプの効率が十分確保され、また、通常出湯温度以上である５０〜５５℃の中間温度であるため、蓄熱タンクの放熱損失が低減され、断熱構成も簡略化できる。また、燃焼バーナーの熱により加熱される熱交換器を備えたことで、蓄熱タンクの湯温が低下した場合、または、高温度の出湯が必要な場合には燃焼による昇温給湯をおこなうので、ヒートポンプユニットの能力と蓄熱タンクを必要最小限の大きさに設定でき、蓄熱タンクの小型化が図れる。さらに、圧縮機を回転数可変としたことで、ヒートポンプの加熱能力が可変でき、蓄熱タンクの残湯量に対応した加熱能力対応が可能となり、また手洗い、食器洗い等の少量使用後の残湯量が多くヒートポンプによる追い焚き加熱量が少なくてよい場合は圧縮機を低回転数とすることで高効率の運転ができる。
【０００８】
また、請求項２に記載の発明は、請求項１の発明に加えて、蓄熱タンクの残湯量を検知する残湯量検知手段を有し、残湯量が多い場合は圧縮機を低回転数で、少ない場合は圧縮機を高回転数で運転する圧縮機回転数制御手段を備えた構成とすることにより、残湯量が多くヒートポンプによる追い焚き加熱量が少なくてよい場合は圧縮機を低回転数とすることで高効率の運転ができ、残湯量が少ない場合は圧縮機を高回転数で運転することでヒートポンプの加熱能力が大きくなり、蓄熱タンク内の湯量を早く確保できる。
【０００９】
また、請求項３に記載の発明は、請求項２の発明に加えて、残湯量検知手段は蓄熱タンクの高さ方向に温度検知センサーを複数個設ける構成としたことにより、複数個の温度センサーによる蓄熱タンクの温度分布を細かく検知でき、細分化された残湯量検出ができる。
【００１０】
また、請求項４に記載の発明は、請求項１の発明に加えて、蒸発器の熱源エンタルピーを検知する熱源エンタルピー検知手段を有し、熱源エンタルピーが高い場合は圧縮機を低回転数で、熱源エンタルピーが低い場合は圧縮機を高回転数で運転する圧縮機回転数制御手段を備えたことにより、ヒートポンプの能力がより大きくでる熱源エンタルピーの高い場合は圧縮機を低回転数で運転しても必要なヒートポンプ能力が得られ、しかも効率の高い運転ができ、また、ヒートポンプの能力が低下する熱源エンタルピーの低い場合は圧縮機を高回転数で運転して、ヒートポンプ能力を高くすることで必要とされる所定の時間内に蓄熱タンク内の湯量を確保することができる。
【００１１】
また、請求項５に記載の発明は、請求項１の発明に加えて、蓄熱タンクの残湯量を検知する残湯量検知手段と蒸発器の熱源エンタルピーを検知する熱源エンタルピー検知手段を有し、残湯量と熱源エンタルピーの値によって圧縮機の回転数を設定する圧縮機回転数制御手段を備えたことにより、残湯量が多く熱源エンタルピーが高い場合、圧縮機を低回転数で運転することで、少ない必要加熱量をより高い効率で運転でき、残湯量が少なく熱源エンタルピーが低い場合、圧縮機を高回転数で運転することで、多い必要加熱量をヒートポンプの加熱能力が大きくして、蓄熱タンク内の湯量を早く確保できる。
【００１２】
また、請求項６に記載の発明は、請求項１の発明に加えて、時計を有し、時間帯別に圧縮機の回転数を設定する圧縮機回転数制御手段を備えたことにより、たとえば、朝、昼の食器洗い等で少量使用後の残湯量が多くヒートポンプによる追い焚き加熱量が少なくてよい場合は圧縮機を低回転数とすることで高効率の運転ができ、夜の風呂への差し湯等で多量使用後の残湯量がほとんど無くなり多量の加熱量が必要な場合は圧縮機を高回転数とすることで蓄熱タンク内の湯量を所定の時間内に確保できる。
【００１３】
また、請求項７に記載の発明は、請求項１の発明に加えて、数日間の蓄熱タンク残湯パターンを記憶する記憶部と、この記憶部の残湯パターンをもとに圧縮機運転回転数を予測演算する演算部を有し、圧縮機の回転数を設定する圧縮機回転数制御手段を備えたことにより、たとえば、１日２４時間の各時刻ごとにおける蓄熱タンク内の残湯量を数日間分記憶し、数日間の標準的な蓄熱タンクの出湯の時刻・出湯量および沸き上げ所用時間、出湯から次の出湯までの時間間隔等の残湯量パターンを演算して、この残湯量パターンがこれから２４時間の予測パターンであるとして、各出湯後の沸き上げ時におけるヒートポンプ運転時の圧縮機の回転数を設定する。たとえば、朝の洗顔、食器洗い等で出湯量が比較的多く、残湯量は中以上で、次の昼出湯までの時間間隔が３時間と比較的短いため、圧縮機を中回転数とすることで中効率の運転で昼までに蓄熱タンク内の湯量を確保し、昼は食器洗いのみで、出湯量が少なく、残湯量が大で、次の夜の風呂への差し湯等まで５時間と十分な時間があるので、圧縮機を低回転数とすることで高効率の運転ができ、夜の風呂への差し湯等で多量使用後の残湯量がほとんど無くなり多量の加熱量が必要な場合は圧縮機を高回転数とすることで蓄熱タンク内の湯量を所定の時間内に確保できる。
【００１４】
また、請求項８に記載の発明は、請求項１の発明に加えて、蓄熱タンクの下部から循環ポンプを介して凝縮器に導かれ前記蓄熱タンク上部へ戻される水循環流路を構成し、凝縮器出口湯温を検知する出口湯温検知手段と、この出口湯温検知手段の検知湯温が予め設定された所定温度になるように循環水量を調節する制御手段を備えたことにより、予め設定された所定温度は通常５５〜６５℃で設定され、蓄熱タンクの上部から安定した湯が蓄えられるため、短時間で使用可能な湯が確保できる。
【００１５】
また、請求項９に記載の発明は、請求項８の発明に加えて、循環水量の調節は循環ポンプの回転数調節で行うことにより、循環水量調節のために特別な弁等の部品を追加する必要がない。
【００１６】
【実施例】
以下、本発明の実施例について図面を用いて説明する。なお、各実施例において、同じ構成、同じ動作をする部分については同一符号を付し、重複説明を避ける。
【００１７】
（実施例１）
図１は本発明の実施例１における給湯機の構成図、図２は圧縮機回転数とヒートポンプ加熱能力・効率の関係図である。
【００１８】
図１において、ヒートポンプ１１は回転数可変できる圧縮機１２、凝縮器１３、減圧器１４、蒸発器１５を冷媒流路で接続して構成する。１６は蓄熱タンクで、１７は蓄熱タンク１６の残湯検知手段で蓄熱タンク１６の高さ方向に温度検知センサー１７aを複数個設ける構成としている。蓄熱タンク１６の下部からの水が、循環ポンプ１８によって凝縮器１３に導かれ、凝縮器１３の熱で加熱昇温されて蓄熱タンク１６へ戻される循環流路１９を構成する。蓄熱タンク１６の下部には、水道水などが給水される管路２０が、上部には、タンク出湯管２１が設けられ、このタンク出湯管２１の端末カラン２２までの途中に、燃焼給湯機２３を構成する燃焼バーナー２４の熱により加熱される熱交換器２５が配置される。２６は圧縮機回転数制御手段で残湯量検出部２７、残湯量比較部２８と回転数制御手段２９を有し、蓄熱タンク１６の残湯量検知手段１７における複数個の温度検知センサー１７aの温度を残湯量検出部２７で検出し、残湯量比較部２８で残湯量が多い場合は圧縮機１２を低回転数で、少ない場合は圧縮機１２を高回転数で運転するように、回転数制御手段２９により圧縮機１２の回転数制御をおこなう。
【００１９】
以上の構成において、その動作、作用について説明する。まず、電源（図示せず）を入れると、蓄熱タンク１６内はまだ沸き上げがおこなわれていないので、残湯量検知手段１７の複数個の温度検知センサー１７aはすべて低い温度で残湯が無いことが検知され、圧縮機１２は高回転数で設定され、ヒートポンプ１１と循環ポンプ１８の運転を開始し、蓄熱タンク１６内の水を予め設定された所定温度（５０〜５５℃）まで沸き上げる。このように、圧縮機１２を高回転数に設定することで、図２に示すように、ヒートポンプ１１は高い加熱能力で運転されるため、蓄熱タンク１６内の湯量を早く確保できる。
【００２０】
つぎに、手洗い、食器洗い等の少量使用後は、例えば、蓄熱タンク１６の残湯量検知手段１７では複数個の温度検知センサー１７aの一番下のみが低温度となり、残湯量が多いことが検知され、圧縮機１２は低回転数で設定され、図２に示すように、ヒートポンプ１１は低い加熱能力ではあるが、効率の高い運転がおこなわれる。このように、残湯量が多くヒートポンプ１１による追い焚き加熱量が少なくてよい場合は圧縮機１１を低回転数とすることで高効率の運転ができる。
【００２１】
また、通常出湯時は蓄熱タンク１６内の湯温が５０〜５５℃であるために、燃焼バーナー２４は点火せず、蓄熱タンク１６の湯温が低下した場合、または、高温度の出湯が必要な場合に燃焼による昇温が行われる。よって、通常出湯温度以上である５０〜５５℃の中間温度であるため、蓄熱タンク１６の放熱損失が低減され、断熱構成も簡略化できる。また、蓄熱タンク１６と出湯する端末カラン２２との間のタンク出湯管２１途中に設けた燃焼バーナー２４の熱により加熱される熱交換器２５を備えたことで、蓄熱タンク１６の湯温が低下した場合、または、高温度の出湯が必要な場合には燃焼による昇温が出来るので、蓄熱タンク１６を必要最小限の大きさに設定できるため、蓄熱タンク１６の小型化が図れる。
【００２２】
さらに、圧縮機１２を回転数可変としたことで、ヒートポンプの加熱能力が可変でき、蓄熱タンク１６の残湯量に対応した加熱能力対応が可能となり、また手洗い、食器洗い等の少量使用後の残湯量が多くヒートポンプによる追い焚き加熱量が少なくてよい場合は圧縮機１２を低回転数とすることで高効率の運転ができる。また、残湯量検知手段１７は蓄熱タンク１６の高さ方向に温度検知センサー１７aを複数個設ける構成としたことにより、複数個の温度センサー１７aによる蓄熱タンク１６の温度分布を細かく検知でき、細分化された残湯量検出ができる。
【００２３】
なお、上記では、図１に示す冷媒配管、水配管構成で説明したが、冷媒配管、水配管構成が異なっていても同じ作用、効果が得られることは明白である。また、ヒートポンプの沸き上げ温度は４０℃からも考えられ、通常の６５℃以下であれば、同じ作用・効果が得られる。
【００２４】
（実施例２）
図３は本発明の実施例２における給湯機の構成図、図４は蒸発器の熱源エンタルピーと圧縮機の回転数とヒートポンプ加熱能力の関係図である。図３において、図１と異なる点は、蒸発器１５の熱源エンタルピーを検知する熱源エンタルピー検知手段３０を設け、圧縮機回転数制御手段３１内に熱源エンタルピー検出部３２、熱源エンタルピー比較部３３、回転数制御手段３４を有する点である。熱源エンタルピー検知手段３０は空気熱源の場合は空気の温度を検知する温度センサー、水熱源の場合は水温度を検知する温度センサーを使用することができる。
【００２５】
以上の構成において、その動作、作用について説明する。
【００２６】
熱源エンタルピー検出部３２で熱源エンタルピー検知手段３０により検知された熱源エンタルピー値を熱源エンタルピー比較部３３に送り、ここで設定された熱源エンタルピーが高い場合は圧縮機１２を低回転数で、熱源エンタルピーが低い場合は圧縮機１２を高回転数で運転するように回転数制御手段３４に指令する。図４に示すように、ヒートポンプ１１の能力がより大きくでる熱源エンタルピーの高い場合は圧縮機１２を低回転数で運転しても必要なヒートポンプ能力が得られ、しかも効率の高い運転ができ、また、ヒートポンプ１１の能力が低下する熱源エンタルピーの低い場合は圧縮機１２を高回転数で運転して、ヒートポンプ能力を高くすることで必要とされる所定の時間内に蓄熱タンク１６内の湯量を確保することができる。
【００２７】
（実施例３）
図５は本発明の実施例３における給湯機の構成図、図６は蒸発器の熱源エンタルピーと圧縮機の回転数とヒートポンプ加熱能力および残湯量の関係図である。図５において、図３と異なる点は、圧縮機回転数制御手段３５内に残湯量検出部２７、熱源エンタルピー検出部３２及びこれらの値を受け、圧縮機１２の回転数を設定する回転数設定部３６、回転数制御手段３９を有する点である。
【００２８】
以上の構成において、その動作、作用について説明する。
【００２９】
例えば、残湯量が多い場合、図６に示すように熱源エンタルピーが高いときは回転数を最小に設定し、熱源エンタルピーが低いときは回転数を中間に設定することで、少ない必要加熱量をより高い効率で運転できる。また、残湯量が少ない場合、図６に示すように熱源エンタルピーが高いときは回転数を中間に設定し、熱源エンタルピーが低いときは回転数を最大に設定することで、多い必要加熱量をヒートポンプの加熱能力が大きくして、蓄熱タンク内の湯量を早く確保できる。
【００３０】
また、図６に示すように、熱源エンタルピー、圧縮機回転数の場合分けを細かく設定するとで、より細かに効率の良い運転、あるいは蓄熱タンク内の湯量を早く確保できる運転ができる。
【００３１】
（実施例４）
図７は本発明の実施例４における給湯機の構成図である。図７において、図１と異なる点は、圧縮機回転数制御手段３８内に時計３９、時間帯別に圧縮機の回転数を設定する時間帯別設定部４０，回転数制御手段４１を有する点である。
【００３２】
以上の構成において、その動作、作用について説明する。たとえば、朝、昼の食器洗い等で少量使用後の蓄熱タンク１６の残湯量が多くヒートポンプ１１による追い焚き加熱量が少なくてよい場合は圧縮機１２を低回転数とすることで高効率の運転ができ、夜の風呂への差し湯等で多量使用後の蓄熱タンク１６の残湯量がほとんど無くなり多量の加熱量が必要な場合は圧縮機１２を高回転数とすることで蓄熱タンク１６内の湯量を所定の時間内に確保できる。
【００３３】
（実施例５）
図８は本発明の実施例５における給湯機の構成図である。図８において、図７と異なる点は、圧縮機回転数制御手段４２内に残湯量検出部２７、時計３９、これらの値を受けて数日間の蓄熱タンク１６の残湯パターンを記憶するパターン記憶部４３、このパターン記憶部４３の残湯パターンをもとに圧縮機１２の運転回転数を予測演算する回転数予測演算部４４、回転数制御手段４５を有する点である。
【００３４】
以上の構成において、その動作、作用について説明する。たとえば、１日２４時間の各時刻ごとにおける蓄熱タンク１６内の残湯量を数日間分記憶し、数日間の標準的な蓄熱タンク１６の出湯の時刻・出湯量および沸き上げ所用時間、出湯から次の出湯までの時間間隔等の残湯量パターンを演算して、この残湯量パターンがこれから２４時間の予測パターンであるとして、各出湯後の沸き上げ時におけるヒートポンプ運転時の圧縮機１２の回転数を設定する。たとえば、朝の洗顔、食器洗い等で出湯量が比較的多く、残湯量は中以上で、次の昼出湯までの時間間隔が３時間と比較的短いため、圧縮機１２を中回転数とすることで中効率の運転で昼までに蓄熱タンク内の湯量を確保し、昼は食器洗いのみで、出湯量が少なく、残湯量が大で、次の夜の風呂への差し湯等まで５時間と十分な時間があるので、圧縮機１２を低回転数とすることで高効率の運転ができ、夜の風呂への差し湯等で多量使用後の残湯量がほとんど無くなり多量の加熱量が必要な場合は圧縮機１２を高回転数とすることで蓄熱タンク１６内の湯量を所定の時間内に確保できる。
【００３５】
（実施例６）
図９は本発明の実施例６における給湯機の構成図である。図９において、図１と異なる点は、凝縮器１３の出口湯温を検知する出口湯温検知手段４５を設け、制御手段４６内に出口湯温検出部４７、出口湯温比較部４８、ポンプ回転数制御手段４９を有する点である。
【００３６】
以上の構成において、その動作、作用について説明する。出口湯温検出部４７で出口湯温検知手段４５より発信された信号を読み取り、出口湯温比較部４８で検出温度が予め設定された所定温度になるように、ポンプ回転数制御手段４９により循環ポンプ１８の回転数を調節して、循環水量を調節する。このように、予め設定された所定温度は通常５５〜６５℃で設定され、蓄熱タンクの上部から安定した湯が蓄えられるため、短時間で使用可能な湯が確保できる。また、循環水量の調節は循環ポンプ１８の回転数調節で行うことにより、循環水量調節のために特別な弁等の部品を追加する必要がない。
【００３７】
【発明の効果】
以上の説明からも明らかのように、本発明によれば、蓄熱タンク内の水はヒートポンプの運転で中間温度に蓄熱して貯湯されるため、ヒートポンプの効率が十分確保され、また、通常出湯温度以上である５０〜５５℃の中間温度であるために、蓄熱タンクの放熱損失が低減され、断熱構成も簡略化できる。また、燃焼バーナーの熱により加熱される熱交換器を備えたことで、蓄熱タンクの湯温が低下した場合、または、高温度の出湯が必要な場合には燃焼による昇温給湯をおこなうので、ヒートポンプユニットの能力と蓄熱タンクを必要最小限の大きさに設定でき、蓄熱タンクの小型化が図れる。さらに、圧縮機を回転数可変としたことで、ヒートポンプの加熱能力が可変でき、蓄熱タンクの残湯量に対応した加熱能力対応が可能となり、また手洗い、食器洗い等の少量使用後の残湯量が多くヒートポンプによる追い焚き加熱量が少なくてよい場合は圧縮機を低回転数とすることで高効率の運転ができる。
【図面の簡単な説明】
【図１】
本発明の実施例１における給湯機の構成図
【図２】
圧縮機回転数とヒートポンプ加熱能力・効率との特性図
【図３】
本発明の実施例２における給湯機の構成図
【図４】
蒸発器の熱源エンタルピーとヒートポンプ加熱能力との特性図
【図５】
本発明の実施例３における給湯機の構成図
【図６】
蒸発器の熱源エンタルピーとヒートポンプ加熱能力との特性図
【図７】
本発明の実施例４における給湯機の構成図
【図８】
本発明の実施例５における給湯機の構成図
【図９】
本発明の実施例６における給湯機の構成図
【図１０】
従来の給湯機の構成図
【符号の説明】
１１  ヒートポンプ
１２  圧縮機
１３  凝縮器
１４  減圧器
１５  蒸発器
１６  蓄熱タンク
１７  残湯量検知手段
１８  循環ポンプ
１９  循環流路
２４  燃焼バーナー
２５  熱交換器
２６  圧縮機回転数制御手段
３０  熱源エンタルピー検知手段
３６  回転数設定部
３９  時計
４０  時間帯別設定部
４３  パターン記憶部
４４  回転数予測演算部
４５  回転数制御手段